(57)【要約】【課題】  粘着剤と液晶パネルとの間に気泡が残るのを防止した状態で偏光板を液晶パネルに貼付することができる偏光板貼付装置を提供する。【解決手段】  ベースプレート12上には液晶パネル13を保持するテーブル14を水平状態で往復移動させる移動手段15が設けられている。支持フレーム18にはエアシリンダ19がテーブル14の上方においてスライド19ａが上下方向に移動可能な状態で設けられ、スライド19ａにはローラ21がテーブル14と平行な状態に支持ブラケット22を介して支持されている。支持フレーム18上にはローラ21とテーブル14との距離の少なくとも下限を規制するマイクロメータ25がブラケット26を介して固定されている。マイクロメータ25は、マイクロメータヘッド25ａが垂直上方に延びる状態で係合板27と当接することでローラ21とテーブル14との距離の少なくとも下限を規制するとともに下限位置を変更可能である。【選択図】      図１
2005164668.tif 000002
【特許請求の範囲】
【請求項１】
液晶パネルの表面に粘着剤を介して偏光板を貼付する偏光板貼付方法であって、
片面に粘着剤が塗布された偏光板を少なくともその一端を前記液晶パネルに接触させ、その偏光板の一端をローラにより該ローラと前記液晶パネルの表面との距離が所定の間隔となる状態まで押圧し、その後、該ローラと前記液晶パネルの表面との距離が前記所定の間隔以上で、前記粘着剤の変形量を所定範囲に保持するように前記ローラの前記液晶パネルの表面に対する距離を規制した状態で前記ローラと前記液晶パネルとを相対移動させて、前記ローラにより前記偏光板を順次前記液晶パネルに押圧して液晶パネルの表面に偏光板を貼付する偏光板貼付方法。
【請求項２】
液晶パネルを保持するテーブルと、
前記テーブルと平行な状態に設けられたローラと、
前記ローラを前記テーブルに対して接近、離間可能に移動させるローラ移動手段と、
前記ローラと前記テーブルとの距離の少なくとも下限を規制するとともに下限位置を変更可能な規制手段と、
前記ローラを前記テーブルと平行な状態で該ローラの軸方向と直交する方向に前記テーブルに対して相対移動させる移動手段と
を備えた偏光板貼付装置。
【請求項３】
前記規制手段は、前記ローラと前記テーブルとの距離の下限と上限とを規制可能に構成されている請求項２に記載の偏光板貼付装置。
【請求項４】
前記ローラ移動手段はエアシリンダにより前記ローラを移動させる構成であり、前記規制手段はマイクロメータを備え、前記ローラを支持する支持部材又は該支持部材と一体に移動する部材に前記マイクロメータのマイクロメータヘッドが当接してその移動を規制する請求項２又は請求項３に記載の偏光板貼付装置。
【発明の詳細な説明】
【技術分野】
【０００１】
本発明は、偏光板貼付方法及び偏光板貼付装置に係り、詳しくは液晶パネルに偏光板を貼付するための偏光板貼付方法及び偏光板貼付装置に関する。
【背景技術】
【０００２】
従来、液晶パネルに偏光板を貼付する方法として、図７に示すように、粘着剤６１が塗布された偏光板６２を液晶パネル６３上に載置し、ローラ６４が偏光板６２を一定圧力で押圧しながら移動することにより、液晶パネル６３に偏光板６２を貼付する方法がある。ローラ６４にはエアシリンダ（図示せず）によって圧力が加えられる。
【０００３】
また、スメクチック液晶を採用した液晶パネルの偏光板の貼付にあたり、スメクチック液晶の配向を乱すような加圧力が少なくとも液晶パネルの表示領域に加わらないようにした偏光板貼付方法が提案されている（特許文献１参照）。特許文献１に記載された方法では、例えば、図８（ａ），（ｂ）に示すように、ワークテーブル６５上に調整治具６６を載置し、液晶パネル６３を調整治具６６の中空部内にて電極基板６７が上側となる状態でワークテーブル６５上に載置する。そして、粘着剤が塗布された偏光板６２を電極基板６７上に、図８（ａ）における右側部において糊剤により仮り付けする。偏光板６２は、その外表面のワークテーブル６５の上面６５ａからの高さが、調整治具６６の厚さよりも僅かに大きな値となっている。その状態で、加圧ローラ６８を図８（ａ）の右側から左側に向かって調整治具６６の上面に沿って転動させる。この偏光板貼付方法では、加圧ローラ６８が偏光板６２に過大な圧力を加えない関係となるように、調整治具６６の厚さと、ワークテーブル６５の上面６５ａから偏光板６２の外表面までの高さとの差が、所定の値となるように設定することで、偏光板６２に過大な圧力が加わらないようにしている。
【特許文献１】特開平９−１２００４４号公報（明細書の段落［００２４］〜［００２８］，［００３２］、図２，図３）
【発明の開示】
【発明が解決しようとする課題】
【０００４】
ところが、図７に示す、ローラ６４に一定の圧力をエアシリンダで加えながら、ローラ６４を移動する方法では、ローラ６４の移動完了により偏光板６２が液晶パネル６３に貼付された状態において、偏光板６２の粘着剤６１に気泡が残ることがある。偏光板６２の上方から見ると、気泡６９は、ローラ６４が最初に偏光板６２に接触した位置付近の粘着剤６１に線状（図９（ａ）の状態）あるいは細かな気泡６９が多数発生した帯状（図９（ｂ）の状態）に見える。この気泡６９は、偏光板６２の貼付後に加圧処理、あるいは加熱処理を施しても消滅しないことが多い。
【０００５】
前記気泡６９の発生原因を検討するため、粘着剤変形量とローラの移動量との関係を調べた結果、図１０に示すように、貼り始め付近（ローラの移動量が少ない位置）で変形量が大きく、その後、徐々に減少していることが分かった。この知見に基づいて、気泡６９の発生メカニズムは、次のように考えられる。粘着剤の変形量がある値を超えると、図１１（ａ）に示すように、粘着剤６１はローラ６４によって押しのけられるように移動し、粘着剤６１の厚みが薄い部分が発生する。そして、ローラ６４が通過した後、偏光板６２の撓みが回復した状態において、図１１（ｂ）に示すように、粘着剤６１の薄い部分に気泡６９が存在する状態となる。
【０００６】
特許文献１に記載の偏光板貼付方法では、調整治具６６の厚さと、ワークテーブル６５の上面６５ａから偏光板６２の外表面までの高さとの差が、所定の値となるように設定することで、偏光板６２に過大な圧力が加わるのを防止することはできる。しかし、加圧力が弱いことにより偏光板６２と電極基板６７との間に空気溜まり（気泡）が発生するという問題があり、偏光板６２の貼付後にオートクレイブ工程において、高温高圧チャンバ内に液晶パネル６３を収容して一定時間放置して空気溜まりを除去する必要がある。
【０００７】
また、液晶パネル６３には一般に、両面に偏光板６２が貼付されるため、特許文献１に記載の偏光板貼付方法では最低でも２種類の調整治具６６が必要になる。また、製品によって液晶パネル６３や粘着剤６１の厚さが異なる場合があり、それらに対応するには多種類の調整治具６６が必要となる。
【０００８】
本発明は、前記従来の問題に鑑みてなされたものであって、その第１の目的は、粘着剤と液晶パネルとの間に気泡が残るのを防止した状態で偏光板を液晶パネルに貼付することができる偏光板貼付方法を提供することにある。また、第２の目的は、前記偏光板貼付方法を実施することができる偏光板貼付装置を提供することにある。
【課題を解決するための手段】
【０００９】
第１の目的を達成するため、請求項１に記載の発明は、液晶パネルの表面に粘着剤を介して偏光板を貼付する偏光板貼付方法であって、片面に粘着剤が塗布された偏光板を少なくともその一端を前記液晶パネルに接触させ、その偏光板の一端をローラにより該ローラと前記液晶パネルの表面との距離が所定の間隔となる状態まで押圧し、その後、該ローラと前記液晶パネルの表面との距離が前記所定の間隔以上で、前記粘着剤の変形量を所定範囲に保持するように前記ローラの前記液晶パネルの表面に対する距離を規制した状態で前記ローラと前記液晶パネルとを相対移動させることにより、前記ローラにより前記偏光板を順次前記液晶パネルに押圧して液晶パネルの表面に偏光板を貼付する。
【００１０】
この発明の偏光板貼付方法では、片面に粘着剤が塗布された偏光板が、少なくともその一端が前記液晶パネルに接触した状態で、ローラと液晶パネルの表面との距離が所定の間隔となる状態までローラにより押圧される。その後、前記粘着剤の変形量が前記所定の間隔以上の所定範囲に保持されるように前記ローラの液晶パネルの表面に対する距離が規制された状態で前記ローラと前記液晶パネルとが相対移動されることにより液晶パネルの表面に偏光板が貼付される。従って、粘着剤と液晶パネルとの間に気泡が残ることを防止した状態で偏光板を液晶パネルに貼付することができる。
【００１１】
第２の目的を達成するため、請求項２に記載の発明は、液晶パネルを保持するテーブルと、前記テーブルと平行な状態に設けられたローラと、前記ローラを前記テーブルに対して接近、離間可能に移動させるローラ移動手段と、前記ローラと前記テーブルとの距離の少なくとも下限を規制するとともに下限位置を変更可能な規制手段と、前記ローラを前記テーブルと平行な状態で該ローラの軸方向と直交する方向に前記テーブルに対して相対移動させる移動手段とを備えた。
【００１２】
この発明では、テーブルに液晶パネルが保持された状態で、偏光板が少なくともその一端が前記液晶パネルに接触した状態で配置される。そして、ローラ移動手段によりローラがローラと液晶パネルの表面との距離が所定の間隔（下限）となる状態まで移動されて偏光板を押圧する状態となる。その状態でローラが前記テーブルと平行な状態で該ローラの軸方向と直交する方向に前記テーブルに対して相対移動されることにより、偏光板が液晶パネルに貼付される。従って、粘着剤と液晶パネルとの間に気泡が残ることを防止した状態で偏光板を液晶パネルに貼付することができる。また、前記ローラと液晶パネルとの距離が下限に規制された状態でローラが移動される場合には、ローラと液晶パネルとのギャップを変化させずに偏光板を液晶パネルに貼付することができる。下限位置を変更可能なため、液晶パネルや偏光板あるいは粘着剤の厚みが異なる貼付条件の場合でも、容易に対応できる。
【００１３】
請求項３に記載の発明は、請求項２に記載の発明において、前記規制手段は、前記ローラと前記テーブルとの距離の下限と上限とを規制可能に構成されている。この発明では、ローラがローラと液晶パネルの表面との距離が所定の間隔（下限）となる状態まで移動されて偏光板を押圧する状態となる。その後、ローラが前記テーブルと平行な状態で、該ローラと液晶パネルとの距離が所定範囲に保持された状態でローラの軸方向と直交する方向に相対移動されて、偏光板が液晶パネルに貼付される。従って、粘着剤と液晶パネルとの間に気泡が残ることを防止した状態で偏光板を液晶パネルに貼付することができる。また、上限も規制されているため、ローラによる押圧力不足で粘着剤の変形量が不足して密着不十分になることが防止される。
【００１４】
請求項４に記載の発明は、請求項２又は請求項３に記載の発明において、前記ローラ移動手段はエアシリンダにより前記ローラを移動させる構成であり、前記規制手段はマイクロメータを備え、前記ローラを支持する支持部材又は該支持部材と一体に移動する部材に前記マイクロメータのマイクロメータヘッドが当接してその移動を規制する。
【００１５】
この発明では、ローラ移動手段、即ちエアシリンダがローラをテーブルに近づけるように駆動された状態でマイクロメータのマイクロメータヘッドがローラを支持する支持部材又は該支持部材と一体に移動する部材と当接することにより、ローラの移動が規制される。また、ローラがローラと液晶パネルの表面との距離が所定の間隔（下限）の状態から、ローラがテーブルに対して相対移動された後、ローラと液晶パネルの表面との距離が上限より大きくなるのが、別のマイクロメータにより規制される。従って、ローラと液晶パネルの表面との距離を精度良く規制する構成がボールねじ機構を使用する場合より簡単になる。
【発明の効果】
【００１６】
請求項１〜請求項４に記載の発明によれば、粘着剤と液晶パネルとの間に気泡が残ることを防止した状態で偏光板を液晶パネルに貼付することができる。
【発明を実施するための最良の形態】
【００１７】
（第１の実施形態）
以下、本発明を具体化した第１の実施形態を図１〜図３に従って説明する。図１は偏光板貼付装置の模式側面図、図２（ａ）は図１の部分拡大図、図２（ｂ）は図１の一部破断部分拡大図である。
【００１８】
図１に示すように、偏光板貼付装置１１は、ベースプレート１２を備え、ベースプレート１２上には液晶パネル１３を保持するテーブル１４を水平状態で往復移動させる移動手段１５が設けられている。テーブル１４は液晶パネル１３を真空（減圧）により吸着保持するように構成されている。移動手段１５はボールネジを使用するとともに、ナットと一体移動可能な移動体１６を１軸方向に移動させる構成の公知のものが使用されている。ボールネジはサーボモータ１７により正逆回転駆動される。移動手段１５は、後記するローラをテーブル１４と平行な状態で該ローラの軸方向と直交する方向に相対移動させる移動手段を構成する。
【００１９】
ベースプレート１２上には支持フレーム１８が設けられ、支持フレーム１８にはスライド付きエアシリンダ１９（以下、単にエアシリンダ１９と称す）が、前記テーブル１４の上方においてスライド１９ａが上下方向に移動可能な状態でブラケット２０を介して支持されている。スライド１９ａにはローラ２１がテーブル１４と平行な状態に支持部材としての支持ブラケット２２を介して支持されている。ローラ２１は液晶パネル１３の幅（図１における紙面と垂直方向の長さ）以上の長さに形成されている。エアシリンダ１９は、ローラ２１をテーブル１４に対して接近、離間可能に移動させるローラ移動手段を構成する。
【００２０】
支持フレーム１８には偏光板供給部２３が設けられている。偏光板供給部２３は、片面に粘着剤２４ａ（図２（ａ）に図示）が塗布された偏光板２４を粘着剤２４ａ側がテーブル１４側となる状態で吸着保持可能に構成されている。偏光板供給部２３は、偏光板２４をその一端がローラ２１の下方に位置する状態で下降傾斜するように吸着保持可能に形成されている。
【００２１】
支持フレーム１８上にはローラ２１とテーブル１４との距離の少なくとも下限を規制する規制手段が設けられている。規制手段はマイクロメータ２５で構成され、マイクロメータ２５はマイクロメータヘッド２５ａが垂直上方に延びる状態でブラケット２６を介して支持フレーム１８上に支持されている。マイクロメータヘッド２５ａは、支持ブラケット２２に固定された係合板２７と当接して支持ブラケット２２の下降、即ちローラ２１の下降を規制するようになっている。係合板２７は支持ブラケット２２（支持部材）と一体に移動する部材を構成する。マイクロメータ２５は１μｍのオーダでマイクロメータヘッド２５ａの突出量を調整可能に構成されている。
【００２２】
サーボモータ１７及びエアシリンダ１９は図示しない制御装置により駆動制御されるようになっている。そして、エアシリンダ１９の駆動によりローラ２１が最下降位置に移動された後、テーブル１４を移動させるようにサーボモータ１７が駆動されるようになっている。
【００２３】
なお、図示の都合上、液晶パネル１３、テーブル１４、偏光板２４の大きさや厚さの比及びエアシリンダ１９、ローラ２１、マイクロメータ２５の大きさの関係は、実際とは異なる状態で描いている。
【００２４】
次に前記のように構成された偏光板貼付装置１１を使用して、液晶パネル１３の表面に偏光板２４を貼付する偏光板貼付方法を説明する。
先ず、テーブル１４上に液晶パネル１３をセットし、次にマイクロメータヘッド２５ａが所定の突出量となるようにマイクロメータ２５を調整する。所定の突出量は、ローラ２１が偏光板２４を液晶パネル１３に押圧する位置に移動された際のローラ２１と液晶パネル１３の表面との距離が所定の間隔となる値に設定される。この値は、液晶パネル１３、偏光板２４及び粘着剤２４ａの厚さによって適正値が異なり、予め試験によって定めた値となるように設定される。次に偏光板供給部２３に偏光板２４がセットされる。偏光板２４は、一端がローラ２１の下方において液晶パネル１３上に載置される状態でセットされる。以上により偏光板２４の貼付準備が完了する。
【００２５】
次に偏光板貼付装置１１が駆動される。先ずエアシリンダ１９が駆動されて支持ブラケット２２と共にローラ２１が下降移動され、係合板２７も支持ブラケット２２と一体に下降移動される。ローラ２１が偏光板２４の一端において偏光板２４に当接した後、さらにローラ２１が下降されて粘着剤２４ａが所定量変形する位置まで偏光板２４が押圧された状態でマイクロメータヘッド２５ａと係合板２７とが当接してローラ２１の下降移動が規制された状態となる。この状態では偏光板２４は粘着剤２４ａが液晶パネル１３側に適切な密着力で押圧された状態となる。
【００２６】
次にサーボモータ１７が駆動されてテーブル１４が図１の右方へ移動される。即ち、ローラ２１がテーブル１４と平行な状態でローラ２１の軸方向と直交する方向にテーブル１４に対して相対移動される。テーブル１４の移動に伴って偏光板２４が偏光板供給部２３の吸着力に抗して吸着面に沿って引き出される。偏光板２４はローラ２１により液晶パネル１３側に押圧されており、偏光板２４の引き出しに伴ってローラ２１が回転される。そして、偏光板２４が液晶パネル１３上に一端側（図１、図２（ａ）の右側）から他端側に向かって順次貼付される。
【００２７】
テーブル１４の移動速度は一定ではなく、徐々に速くなる。そのためローラ２１が一定圧力で偏光板２４を押圧していても、テーブル１４の移動開始後は各押圧位置に対するローラ２１の押圧時間が短くなり、結果として偏光板２４を液晶パネル１３側へ押圧する時間、即ち粘着剤２４ａを変形させる時間が短くなる。そのため、従来の貼付方法ではローラ２１が液晶パネル１３に対してある距離相対移動した後、粘着剤２４ａの変形量が徐々に減少する。しかし、この実施形態ではテーブル１４が移動されてローラ２１による偏光板２４の押圧が完了する近くまでローラ２１が相対移動した状態でもローラ２１を下限位置に保持する押圧力となるようにエアシリンダ１９に供給される圧縮エアの圧力が設定されているため、粘着剤変形量とローラ２１の移動量との関係は図３に実線で示すように一定となる。なお、破線はマイクロメータ２５（規制手段）が無い場合の粘着剤変形量とローラ２１の移動量との関係を示す。
【００２８】
テーブル１４は液晶パネル１３がローラ２１と対応する位置を過ぎた後も移動を続け、図１に鎖線で示すように、液晶パネル１３が支持フレーム１８と対応しない位置まで移動される。次にテーブル１４による液晶パネル１３の吸着作用が解除されて、液晶パネル１３がテーブル１４上から取り外され、図示しない別の偏光板付着装置により液晶パネル１３の反対側の面への偏光板２４の貼付作業が行われる。液晶パネル１３の両面に偏光板２４が貼付されて、偏光板２４の貼付作業が完了する。
【００２９】
この実施の形態では以下の効果を有する。
（１）  偏光板貼付装置１１は、液晶パネル１３を保持するテーブル１４と、ローラ２１をテーブル１４と平行な状態で、テーブル１４に対して接近、離間可能に移動させるローラ移動手段と、ローラ２１とテーブル１４との距離の少なくとも下限を規制するとともに下限位置を変更可能な規制手段とを備えている。そして、ローラ２１をテーブル１４と平行な状態でローラ２１の軸方向と直交する方向にテーブル１４に対して相対移動させる移動手段１５とを備えている。従って、ローラ２１により偏光板２４が押圧される際に、粘着剤２４ａの変形量に対応する値となるローラ２１と液晶パネル１３の表面との距離が所定の間隔（下限）以上に保持される。その結果、粘着剤２４ａの変形量が過大になるのが防止され、偏光板２４の貼付完了時に粘着剤２４ａの中に気泡が残るのを防止することができる。
【００３０】
（２）  ローラ２１は、ローラ２１と液晶パネル１３との距離が下限に規制された状態でテーブル１４に沿って移動されるため、ローラ２１と液晶パネル１３とのギャップを変化させずに偏光板２４を液晶パネル１３に貼付することができる。
【００３１】
（３）  テーブル１４は液晶パネル１３を水平に保持した状態で移動されるため、液晶パネル１３を鉛直状態あるいは斜めの状態で保持する構成に比較して、液晶パネル１３を保持する機構が簡単になり、吸着力も弱くてよい。
【００３２】
（４）  ローラ２１をテーブル１４と平行な状態で、テーブル１４に対して接近、離間可能に移動させるローラ移動手段は、エアシリンダ１９によりローラ２１を移動させる構成である。そして、規制手段はマイクロメータ２５を備え、ローラ２１を支持する支持部材（支持ブラケット２２）と一体に移動する部材（係合板２７）の一部にマイクロメータ２５のマイクロメータヘッド２５ａが当接してその移動を規制する。従って、粘着剤２４ａの変形量に対応する値となるように、ローラ２１と液晶パネル１３の表面との距離を精度良く規制する構成がボールねじ機構を使用する場合より簡単になる。
【００３３】
（５）  ローラ２１をテーブル１４と平行な状態でローラ２１の軸方向と直交する方向にテーブル１４に対して相対移動させる移動手段１５は、テーブル１４を移動させる構成のため、ローラ２１側を移動させる構成に比較して構造が簡単になる。
【００３４】
（６）  偏光板２４は、偏光板供給部２３に斜めに吸着保持された状態で一端側から順に液晶パネル１３と接触するように引き出されて、ローラ２１によって押圧される。従って、最初から粘着剤２４ａが塗布された面全体が液晶パネル１３上に載置された状態で偏光板２４の一端側からローラ２１によって押圧される貼付方法に比較して、気泡がより残り難くなる。
【００３５】
（第２の実施形態）
次に第２の実施形態を説明する。この実施形態では、偏光板２４の貼付作業時に、ローラ２１とテーブル１４との距離の下限を規制するが、即ちローラ２１の下限位置より下方への移動は規制するが、下限位置より上方への移動は許容する点が前記第１の実施形態と異なっている。また、偏光板貼付装置１１の基本構成は同じであるが、ローラ２１がテーブル１４に対して平行に相対移動されて所定量移動された時点からエアシリンダ１９に供給される圧縮エアの圧力が下げられる点が前記第１の実施形態と異なっている。
【００３６】
エアシリンダ１９に供給される圧縮エアの圧力を調整する手段として、エアシリンダ１９に圧縮エアを供給する配管の途中に圧力調整弁（図示せず）が設けられている。そして、制御装置からの指令によって、テーブル１４の移動が開始されてから所定時間後にエアシリンダ１９への供給エアの圧力が下げられる。エアシリンダ１９への供給エアの圧力は、従来、ローラ２１に押圧力を加えるために供給された圧力と同じに設定される。
【００３７】
この実施形態では、粘着剤変形量とローラの移動量との関係は図４に実線で示すグラフのようになる。即ち、ローラ２１が偏光板２４を押圧する位置に配置された状態でテーブル１４が移動され、ローラが所定量移動された時点でエアシリンダ１９への供給エアの圧力が減少されることにより、ローラ２１による粘着剤２４ａの変形量が徐々に小さくなる。なお、破線はマイクロメータ２５（規制手段）が無い場合の粘着剤変形量とローラ２１の移動量との関係を示す。この実施形態では前記第１の実施形態の（１），（３）〜（６）と同様な効果を有する。
【００３８】
（第３の実施形態）
次に第３の実施形態を図５に従って説明する。この実施形態では、偏光板２４の貼付作業時に、規制手段がローラ２１とテーブル１４との距離の下限と上限とを規制可能に構成されている点が前記両実施形態と異なっている。
【００３９】
図５に示すように、規制手段として、前記第１の実施形態と同様なマイクロメータ２５に加えて、ローラ２１の上昇移動を規制するマイクロメータ２８が設けられている。マイクロメータ２８は、支持フレーム１８に対して回動可能に設けられたブラケット２９に対してマイクロメータヘッド２８ａが、垂直下方に延びる状態で支持されている。ブラケット２９はマイクロメータ２８を係合板２７の移動に支障を来さない退避位置と、マイクロメータ２８が係合板２７の上方に配置される規制位置とに回動可能かつ退避位置と規制位置とに回転アクチュエータ３０によって回動可能に構成されている。
【００４０】
この実施形態の偏光板貼付装置１１では、貼付作業時にローラ２１の上限を規制するマイクロメータ２８は、常には係合板２７と干渉しない退避位置に配置されている。そして、貼付作業の準備作業として、テーブル１４上への液晶パネル１３の載置、マイクロメータヘッド２５ａを所定の突出量とするマイクロメータ２５の調整、偏光板供給部２３への偏光板２４のセットだけでなく、マイクロメータ２８の調整作業が加わる。マイクロメータ２８の調整作業は、ローラ２１が下限位置に移動された状態でテーブル１４の移動が開始される前に行われる。ローラ２１が下限位置に移動された状態でマイクロメータ２８が規制位置に配置され、ブラケット２９がその位置で固定される。その状態でマイクロメータヘッド２８ａの突出量が所定の値となるようにマイクロメータ２８が調整される。以上が貼付作業の準備作業となる。即ち、この実施形態ではエアシリンダ１９を駆動させてローラ２１を下限位置まで移動させる作業は貼付作業の準備作業となる。
【００４１】
次にサーボモータ１７が駆動されて貼付作業が開始される。制御装置からの指令によって、テーブル１４の移動が開始されてから所定時間後にエアシリンダ１９への供給エアの圧力が下げられる。そして、前記第２の実施形態の場合と同様に、ローラ２１が僅かずつ上昇されてローラ２１による粘着剤２４ａの変形量が徐々に小さくなる。ローラ２１の上昇移動を自由にした場合は、粘着剤２４ａに対する押圧力が不足して、最後の部分で粘着剤２４ａが液晶パネル１３に密着せずに気泡が生じる場合がある。しかし、この実施形態ではマイクロメータ２８によってローラ２１の上昇移動が規制されるため、ローラ２１による押圧力不足で粘着剤２４ａの変形量が不足して密着不十分になることが防止される。
【００４２】
従って、この実施形態では前記第１の実施形態の（１），（３）〜（６）と同様な効果を有する他に次の効果を有する。
（７）  偏光板２４の貼付作業時にローラ２１とテーブル１４との距離の上限も規制されるため、ローラ２１がテーブル１４に対して水平方向に所定距離相対移動された後、エアシリンダ１９に供給される圧縮エアの圧力を減少させる際、減少量を厳密に制御しなくても、ローラ２１による押圧力が不足する状態になることを防止できる。
【００４３】
（第４の実施形態）
次に第４の実施形態を図６に従って説明する。この実施形態では、ローラ移動手段としてエアシリンダ１９に代えて、サーボモータ３１により駆動されるボールネジを備え、ナットと一体移動可能な移動体３２を１軸方向に移動させる構成の公知のものが使用されている。支持ブラケット２２は移動体３２に固定され、ローラ２１はサーボモータ３１の駆動により昇降移動される。
【００４４】
この実施形態ではサーボモータ３１の駆動制御によりローラ２１の高さを調整できるため、ローラ移動手段がローラ２１とテーブル１４との距離の少なくとも下限を規制するとともに下限位置を変更可能な規制手段としても機能する。従って、サーボモータ３１の駆動制御条件によって、第１の実施形態のようにローラ２１を下限位置に保持した状態で貼付作業を行うこともできるし、第３の実施形態のようにローラ２１の上限と下限とを規制した状態で貼付作業を行うこともできる。従って、この実施形態では前記第１の実施形態の（１）〜（３），（５），（６）と、第３の実施形態の（７）と同様な効果を有する。
【００４５】
実施形態は前記に限定されるものではなく、例えば、次のように具体化してもよい。
○  ローラ２１とテーブル１４との距離の少なくとも下限を規制するとともに下限位置を変更可能な規制手段は、マイクロメータ２５やサーボモータ３１により駆動されるボールネジを備え、ナットと一体移動可能な移動体３２を１軸方向に移動させる構成のものに限らない。例えば、スペーサを設けて、スライド１９ａの下降移動を規制してもよい。この場合、貼付条件に対応して複数のスペーサを準備するか、スペーサを複数重ねて間隔調整を行う。
【００４６】
○  ローラ２１とテーブル１４との距離の少なくとも下限を規制するとともに下限位置を連続的に変更可能な規制手段として、偏心位置において回動可能に支持されるとともに、任意の回動位置で固定可能に設けられた円板を使用してよい。
【００４７】
○  偏光板２４を一端から順に液晶パネル１３に接触させながらローラ２１で押圧する貼付方法に限らず、液晶パネル１３上に粘着剤２４ａの全面が接触する状態に偏光板２４を載置して、その状態から偏光板２４の一端からローラ２１で押圧しながらローラ２１を液晶パネル１３に対して相対移動させてもよい。
【００４８】
○  ローラ２１をテーブル１４と平行な状態で該ローラ２１の軸方向と直交する方向にテーブル１４に対して相対移動させる移動手段は、テーブル１４側を移動させる構成に限らず、ローラ２１側を移動させる構成としてもよい。
【００４９】
○  テーブル１４は液晶パネル１３を水平に保持した状態で移動される構成に限らず、液晶パネル１３を鉛直状態あるいは斜めの状態で保持して移動される構成としてもよい。液晶パネル１３が大型化するとその面積が広くなり、液晶パネル１３を水平に保持した状態で移動させる構成では偏光板貼付装置１１の設置に必要な床面積が広くなるが、液晶パネル１３を鉛直状態あるいは斜めの状態で保持したテーブル１４が移動される構成では偏光板貼付装置１１の設置に必要な床面積を小さくできる。
【００５０】
前記実施の形態から把握できる技術的思想（発明）について以下に記載する。
（１）  請求項２〜請求項４のいずれか一項に記載の発明において、前記液晶パネルを保持するテーブルは、前記液晶パネルを鉛直状態又は傾斜状態で保持する。
【００５１】
（２）  請求項２〜請求項４及び前記技術的思想（１）のいずれか一項に記載の発明において、前記テーブルに保持された液晶パネル上に偏光板を、粘着剤２４ａが液晶パネル側になる状態で一端側から供給する偏光板供給部を備えている。
【図面の簡単な説明】
【００５２】
【図１】第１の実施形態の偏光板貼付装置の模式側面図。
【図２】（ａ）は図１の部分拡大図、（ｂ）は図１の一部破断部分拡大図。
【図３】粘着剤変形量とローラの移動量との関係を示すグラフ。
【図４】第２の実施形態の粘着剤変形量とローラの移動量との関係を示すグラフ。
【図５】第３の実施形態の偏光板貼付装置の模式部分側面図。
【図６】第４の実施形態の偏光板貼付装置の模式部分側面図。
【図７】偏光板の貼付状態の模式側面図。
【図８】（ａ）は従来技術の部分破断側面図、（ｂ）は同じく部分破断正面図。
【図９】（ａ），（ｂ）は気泡の発生状態を示す模式平面図。
【図１０】粘着剤の変形量とローラの移動量との関係を示すグラフ。
【図１１】（ａ）は粘着剤の変形状態を示す模式側面図、（ｂ）は気泡残りの状態を示す模式側面図。
【符号の説明】
【００５３】
１１…偏光板貼付装置、１３…液晶パネル、１４…テーブル、１５…移動手段、１９…ローラ移動手段としてのエアシリンダ、２１…ローラ、２４…偏光板、２４ａ…粘着剤、２５，２８…規制手段としてのマイクロメータ、２５ａ，２８ａ…マイクロメータヘッド。
【図１】
2005164668.tif 000003
【図２】
2005164668.tif 000004
【図３】
2005164668.tif 000005
【図４】
2005164668.tif 000006
【図５】
2005164668.tif 000007
【図６】
2005164668.tif 000008
【図７】
2005164668.tif 000009
【図８】
2005164668.tif 000010
【図９】
2005164668.tif 000011
【図１０】
2005164668.tif 000012
【図１１】
2005164668.tif 000013